【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
オーディオ信号のハイバンド部分に対して線形予測分析を実行することに基づいて、ハイバンド残差信号を生成することと、
前記ハイバンド残差信号に基づいて位相調整パラメータを、エンコーダにおいて、決定することと、ここにおいて、前記位相調整パラメータのうちの少なくとも１つの位相調整パラメータは、前記ハイバンド残差信号のエネルギーレベルを近似する第１の正弦波形に少なくとも部分的に基づく、
前記位相調整パラメータに基づいて第１の信号の位相を、前記エンコーダにおいて、調整することと、前記第１の信号は前記オーディオ信号のローバンド部分に基づき、位相調整済みの第１の信号は、前記第１の信号のエネルギーレベルを近似する第２の正弦波形に少なくとも部分的に基づいて生成される、
前記オーディオ信号の符号化されたバージョンから前記オーディオ信号の再構成中に位相調整を可能にするために、前記オーディオ信号の前記符号化されたバージョンに前記位相調整パラメータを挿入することと、前記オーディオ信号の前記符号化されたバージョンは、前記位相が調整された後の前記第１の信号に基づくサイド情報を含む、
ビットストリームの一部としてスピーチデコーダに前記オーディオ信号の前記符号化されたバージョンにおける前記位相調整パラメータを送信することと
を備える、方法。
【請求項２】
高調波による拡張信号に基づくか、または前記高調波による拡張信号から生成されるハイバンド励起信号に基づいて、前記第１の信号を生成することをさらに備え、前記高調波による拡張信号は、前記オーディオ信号の前記ローバンド部分に基づく、
請求項１に記載の方法。
【請求項３】
特定の位相調整パラメータを決定することは、特定の周波数における前記ハイバンド残差信号の特定の位相を決定することを備え、前記特定の位相調整パラメータは、前記特定の周波数における前記ハイバンド残差信号の前記特定の位相に関連付けられる量子化された情報を含む、請求項１に記載の方法。
【請求項４】
前記特定の周波数における前記ハイバンド残差信号の前記特定の位相を決定することは、
前記ハイバンド残差信号を時間ドメインから周波数ドメインに変換するために、前記ハイバンド残差信号に対して変換演算を実行することと、ここにおいて、前記変換演算は、高速フーリエ変換演算に対応する、
前記変換されたハイバンド残差信号の特定の変換係数を選択することと
を備え、前記特定の変換係数は、前記特定の周波数に関連付けられ、前記特定の位相は前記特定の変換係数に基づいて決定される、請求項３に記載の方法。
【請求項５】
前記第１の信号の前記位相を調整することは、前記特定の位相調整パラメータに基づいて前記特定の周波数における前記第１の信号の第１の位相を調整することを備える、請求項３に記載の方法。
【請求項６】
前記特定の周波数における前記第１の信号の前記第１の位相を調整することは、
前記第１の信号を時間ドメインから周波数ドメインに変換するために、前記第１の信号に対して変換演算を実行することと、
位相調整済み信号を生成するために、前記第１の信号が前記周波数ドメインにある間に、前記特定の周波数における前記第１の信号の前記第１の位相を、前記特定の周波数における前記ハイバンド残差信号の前記特定の位相に対応する調整済み位相に置き換えることと、
前記位相調整済み信号を前記周波数ドメインから前記時間ドメインに変換するために、前記位相調整済み信号に対して逆変換演算を実行することと
を備える、請求項５に記載の方法。
【請求項７】
前記第１の正弦波形を生成することと、
前記第１の正弦波形の特定の位相を決定することと、ここにおいて、前記少なくとも１つの位相調整パラメータは、前記第１の正弦波形の前記特定の位相に少なくとも部分的に基づく、
前記第２の正弦波形を生成することと、
前記第２の正弦波形と前記第１の信号との間のエネルギー差を近似する残差波形を生成することと、
再構成済み正弦波形を生成するために、前記特定の位相調整パラメータに基づいて前記第１の正弦波形を再構成することと、
前記位相調整済みの第１の信号を生成するために、前記残差波形と前記再構成済み正弦波形とを合成することと
をさらに備える、請求項１に記載の方法。
【請求項８】
前記第１の信号の前記位相は、前記第１の信号の位相と少なくとも１つの特定の周波数範囲のための前記ハイバンド残差信号の位相とを合わせるように調整される、請求項１に記載の方法。
【請求項９】
前記サイド情報は、推定された利得形状データを含む、請求項１に記載の方法。
【請求項１０】
前記位相調整パラメータの第１の位相調整パラメータは、前記ハイバンド残差信号のエネルギーレベルを近似する正弦波形に少なくとも部分的に基づく、請求項１に記載の方法。
【請求項１１】
ハイバンド残差信号に基づいて位相調整パラメータを決定するように構成される位相分析器と、前記ハイバンド残差信号は、オーディオ信号のハイバンド部分に対して実行される線形予測分析に基づき、前記位相調整パラメータのうちの少なくとも１つの位相調整パラメータは、前記ハイバンド残差信号のエネルギーレベルを近似する第１の正弦波形に少なくとも部分的に基づく、
前記位相調整パラメータに基づいて第１の信号の位相を調整するように構成される位相調整器と、前記第１の信号は前記オーディオ信号のローバンド部分に基づき、位相調整済みの第１の信号は、前記第１の信号のエネルギーレベルを近似する第２の正弦波形に少なくとも部分的に基づいて生成される、
前記オーディオ信号の符号化されたバージョンから前記オーディオ信号の再構成中に位相調整を可能にするために、前記位相調整パラメータを前記オーディオ信号の前記符号化されたバージョンに挿入するように構成されるマルチプレクサと、前記オーディオ信号の前記符号化されたバージョンは、前記位相が調整された後の前記第１の信号に基づくサイド情報を含む、
を備える、装置。
【請求項１２】
第１の線形予測分析およびコーディングモジュールを含み、前記ハイバンド残差信号を生成するように構成される、ハイバンド分析モジュールと、
前記オーディオ信号の前記符号化されたバージョンにおける前記位相調整パラメータをビットストリームの一部としてスピーチデコーダに送信するように構成される送信機をさらに備える、請求項１１に記載の装置。
【請求項１３】
前記第１の信号は高調波による拡張信号であるか、または前記高調波による拡張信号から生成されるハイバンド励起信号である、請求項１１に記載の装置。
【請求項１４】
前記位相分析器は、特定の周波数における前記ハイバンド残差信号の特定の位相を決定するように構成され、特定の位相調整パラメータは、前記特定の周波数における前記ハイバンド残差信号の前記特定の位相に関連付けられる量子化された情報を含む、請求項１１に記載の装置。
【請求項１５】
前記特定の周波数における前記ハイバンド残差信号の前記特定の位相を決定することは、
前記ハイバンド残差信号を時間ドメインから周波数ドメインに変換するために、前記ハイバンド残差信号に対して変換演算を実行することと、
前記変換されたハイバンド残差信号の特定の変換係数を選択することと、前記特定の変換係数は、前記特定の周波数に関連付けられ、前記特定の位相は前記特定の変換係数に基づいて決定される、
を備える、請求項１４に記載の装置。
【請求項１６】
前記位相調整器は、前記特定の位相調整パラメータに基づいて前記特定の周波数における前記第１の信号の第１の位相を調整するように構成され、前記位相調整器はさらに、
前記第１の信号を時間ドメインから周波数ドメインに変換するために、前記第１の信号に対して変換演算を実行し、
位相調整済み信号を生成するために、前記第１の信号が前記周波数ドメインにある間に、前記特定の周波数における前記第１の信号の前記第１の位相を、前記特定の周波数における前記ハイバンド残差信号の前記特定の位相に置き換え、
前記位相調整済み信号を前記周波数ドメインから前記時間ドメインに変換するために、前記位相調整済み信号に対して逆変換演算を実行するように構成される、請求項１４に記載の装置。
【請求項１７】
アンテナと、
前記アンテナに結合され、前記オーディオ信号の前記符号化されたバージョンを送信するように構成される送信機と
をさらに備える、請求項１１に記載の装置。
【請求項１８】
前記位相分析器、前記位相調整器、前記マルチプレクサ、および前記送信機は、モバイルデバイス内に組み込まれる、請求項１７に記載の装置。
【請求項１９】
前記特定の周波数は、前記オーディオ信号のハイバンド部分におけるスピーチ基本ピッチ周波数の倍数に対応する、請求項１４に記載の装置。
【請求項２０】
前記位相分析器は、規則的な周波数間隔において位相調整パラメータを決定するように構成され、前記特定の周波数は前記規則的な周波数間隔の１つの間隔によって規定される周波数に対応する、請求項１４に記載の装置。
【請求項２１】
ハイバンド残差信号に基づいて、位相調整パラメータを決定するための手段と、前記ハイバンド残差信号は、オーディオ信号のハイバンド部分に対して実行される線形予測分析に基づき、前記位相調整パラメータのうちの少なくとも１つの位相調整パラメータは、前記ハイバンド残差信号のエネルギーレベルを近似する第１の正弦波形に少なくとも部分的に基づく、
前記位相調整パラメータに基づいて第１の信号の位相を調整するための手段と、前記第１の信号はオーディオ信号のローバンド部分に基づき、位相調整済みの第１の信号は、前記第１の信号のエネルギーレベルを近似する第２の正弦波形に少なくとも部分的に基づいて生成される、
前記オーディオ信号の符号化されたバージョンから前記オーディオ信号の再構成中に位相調整を可能にするために、前記位相調整パラメータを前記オーディオ信号の前記符号化されたバージョンに挿入するための手段と、前記オーディオ信号の前記符号化されたバージョンは、前記位相が調整された後の前記第１の信号に基づくサイド情報を含む、
前記オーディオ信号の前記符号化されたバージョンにおける前記位相調整パラメータをビットストリームの一部としてスピーチデコーダに送信するための手段とを備える、装置。
【請求項２２】
前記オーディオ信号の前記ローバンド部分に対して第１の分析を実行するための手段をさらに備え、ここにおいて前記第１の分析を実行するための前記手段は、第１の線形予測分析およびコーディングモジュールを備え、前記第１の分析に基づいて線形予測残差信号を生成するように構成され、前記第１の信号は高調波による拡張信号であるか、または前記高調波による拡張信号から生成されるハイバンド励起信号である、請求項２１に記載の装置。
【請求項２３】
決定するための前記手段、調整するための前記手段、挿入するための前記手段、および送信するための前記手段は、モバイルデバイスに組み込まれる、請求項２２に記載の装置。
【請求項２４】
決定するための前記手段は、特定の周波数における前記ハイバンド残差信号の特定の位相を決定するための手段を備え、前記特定の周波数における前記ハイバンド残差信号の前記特定の位相を決定するための前記手段は、
前記ハイバンド残差信号を時間ドメインから周波数ドメインに変換するために、前記ハイバンド残差信号に対して変換演算を実行するための手段と、
前記変換されたハイバンド残差信号の特定の変換係数を選択するための手段と、前記特定の変換係数は、前記特定の周波数に関連付けられ、前記特定の位相は前記特定の変換係数に基づいて決定される、
を備える、請求項２１に記載の装置。
【請求項２５】
前記変換演算は高速フーリエ変換演算に対応し、前記特定の周波数は、前記オーディオ信号のハイバンド部分におけるスピーチ基本ピッチ周波数の倍数に対応する、請求項２４に記載の装置。
【請求項２６】
デコーダを備え、前記デコーダは、
エンコーダから符号化されたオーディオ信号を受信することと、前記符号化されたオーディオ信号は、前記エンコーダにおいてオーディオ信号のハイバンド部分に対して行われる線形予測分析を介して生成されるハイバンド残差信号に基づく位相調整パラメータを備え、前記位相調整パラメータのうちの少なくとも１つの位相調整パラメータは、前記ハイバンド残差信号のエネルギーレベルを近似する第１の正弦波形に少なくとも部分的に基づき、前記符号化されたオーディオ信号は、前記エンコーダにおいて生成される第１の信号に基づくサイド情報をさらに備える、
前記符号化されたオーディオ信号に基づいて、再構成された信号を生成することと、前記再構成された信号は、前記第１の信号の再構成されたバージョンに対応し、前記第１の信号は前記オーディオ信号のローバンド部分に基づき、位相調整済みの第１の信号は、前記第１の信号のエネルギーレベルを近似する第２の正弦波形に少なくとも部分的に基づいて生成される、
前記再構成された信号の位相を調整するために、前記再構成された信号に前記位相調整パラメータを適用することと、
前記位相調整済みの再構成された信号に基づいて、および前記サイド情報に基づいて、前記オーディオ信号を再構成することと
を行うように構成される、装置。
【請求項２７】
前記線形予測分析は、前記エンコーダのハイバンド分析モジュールの線形予測分析およびコーディングモジュールによって実行され、前記再構成された信号は高調波による拡張信号または高調波による拡張信号から生成されるハイバンド励起信号である、請求項２６に記載の装置。
【請求項２８】
アンテナと、
前記アンテナに結合され、前記符号化されたオーディオ信号を受信するように構成される受信機と
をさらに備える、請求項２６に記載の装置。
【請求項２９】
前記デコーダおよび前記受信機は、モバイルデバイスに組み込まれる、請求項２８に記載の装置。